(57)【要約】【課題】  露出アンダーな複数枚の画像を合成して、露出適正な合成画像を得る装置において、外部出力装置に応じて、合成処理前の画像を転送するか、あるいは合成後の画像を転送するかを判断し、外部機器に最適な画像データの転送をおこなうことを可能にする。【解決手段】  上記課題を解決するため、複数枚の露出アンダー画像、および合成画像をメモリ手段に記憶するとともに、本発明の装置に接続される外部出力装置の画像合成機能の有無に応じて、前記メモリ内に記憶された複数枚の露出アンダー画像または合成画像のいずれかを選択的に外部出力装置に転送することを特徴とする。【選択図】  図３
2010130476.tif 000002
【特許請求の範囲】
【請求項１】
被写体像を結像される光学手段と、光学手段により結像された被写体象を光電変換する撮像素子と、撮像素子の撮像信号をデジタルデータに変換するＡＤ変換手段と、複数枚の露出アンダーの画像を取得して、その画像を合成して、適正な露出の合成画像を得る画像合成手段とを備え、外部出力装置に前記画像データを転送可能な複数の接続手段を有するデジタルカメラにおいて、
複数枚の露出アンダー画像および合成画像をメモリ手段に記憶するとともに、接続される外部出力装置の画像合成機能の有無を判定する判定手段と、判定手段の結果により、前記メモリ内に記憶された複数枚の露出アンダー画像または合成画像のいずれかを選択的に外部出力装置に転送することを特徴とするデジタルカメラ。
【請求項２】
前記接続手段は、アナログ映像信号出力およびデジタルデータを送受信可能なデジタル接続可能な接続手段であることを特徴とする請求項１に記載のデジタルカメラ。
【請求項３】
前記判定手段は、接続手段がアナログまたはデジタルかを判定して、アナログ接続であった場合には、合成画像を転送することを特徴とする請求項１又は請求項２に記載のデジタルカメラ。
【請求項４】
前記判定手段は、接続手段がアナログまたはデジタルかを判定して、デジタル接続であった場合には、接続された外部出力装置の種別を判定して、複数枚の露出アンダー画像、合成画像のいずれかを転送することを特徴とする請求項１又は請求項２に記載のデジタルカメラ。
【発明の詳細な説明】
【技術分野】
【０００１】
本発明は、撮影と画像合成及び画面表示を行う画像合成処理装置に関し、特に、撮影装置及び表示装置を備えた携帯電話機及びデジタルカメラなどの画像合成処理装置における画像合成、及び画像データの転送に関するものである。
【背景技術】
【０００２】
従来、例えば、撮影装置及び表示装置を備えた携帯電話機やデジタルカメラでの撮像画像データを合成して、合成画像を得る技術が提案、実用化されている。合成画像として、パノラマ撮影のような視点を移動した、複数枚の画像を合成して、広角な画像をえるもの、露出の異なる複数枚の画像を合成して、広いダイナミックレンジをえるもの、露出アンダー条件で撮影して、撮影時の手ブレを防止して、あとで複数枚合成して、適正露出をえるものなどが提案あるいは実用化されている。また、画像データをパーソナルコンピュータ（以下、ＰＣと略す）に転送して、ＰＣで転送された画像を合成するというアプリケーションソフトなども存在している。
【０００３】
特許文献１は、撮影装置であるカメラと画像出力装置に応じた画像処理を行って、画像出力装置に応じた画像データ出力を行う外部映像処理装置とから構成されている。撮影装置であるカメラに外部装置からあらかじめ、異なる撮影条件で複数枚の撮影を行い、カメラ内のＶＲＡＭに画像データを記憶しておき、撮影者が画像データの確認を行いたいときは、カメラ内のＶＲＡＭから外部映像処理装置に画像データを転送して、外部映像処理装置内で複数の画像データから最適な画像を選択あるいは合成により最適な画像を得る。その後、画像出力装置に応じた画像データに変換して出力するものである。
【０００４】
特許文献２は、撮影と画像合成及び表示を行う画像合成処理を有する撮影部を備えた携帯電話機及びデジタルカメラに関する発明である。撮影部によって撮影された複数の画像データを取り込み、この複数の撮影画像を画像合成部で合成した一つの合成画像を作成する。この合成画像を、表示画像作成部で表示用の画像を作成し、この合成表示画像を表示器で画面表示し、撮影者が、その場で合成画像を確認可能にすることで、画像合成を容易かつ確実に可能にするものである。
【特許文献１】特開平6-105218号公報
【特許文献２】特開2004-96156号公報
【発明の開示】
【発明が解決しようとする課題】
【０００５】
しかしながら、デジタルカメラは、カメラ本体に種々のインターフェイス（ＮＴＳＣのような映像信号出力、ＵＳＢ端子など）を持っており、ＰＣ以外にも、テレビやプリンタなどの画像出力装置などにも画像データの出力が可能なようになっている。ＰＣのように、アプリケーションソフトなどを使って、複数の画像データを使って、合成処理が可能なものから、テレビやプリンタなどのように画像合成機能を有しない機器の双方に接続される。従って、本来は、接続される機器の特性に応じて、画像を合成して画像出力するか、あるいは、接続先の機器で後処理により画像合成を行うので、合成しないで画像転送を行うかを選択的に行えるように構成されることが望ましい。
【０００６】
特許文献１に記載の発明は、撮影条件の異なる複数の画像から最適な画像の選択を行い、撮影者により選択された画像出力装置に出力するものである。従って、特許文献１に記載の発明は、本発明のようにカメラから出力する画像データを、出力装置の画像処理機能（本発明では、画像合成機能）に応じて、選択的に変更して出力するものではない。
【０００７】
また、特許文献２に記載のカメラは、カメラ内で合成処理を行い、カメラに取り付けられた表示装置に表示することで、合成に用いる画像が、合成に適しているか否かを撮影者が容易に確認できるように構成されたものである。従って、特許文献１と同様に、カメラから出力する画像データを、出力装置の画像処理機能（本発明では、画像合成機能）に応じて、選択的に変更して出力するものではない。
【課題を解決するための手段】
【０００８】
上記課題を解決するため手段として、本発明のデジタルカメラは、
複数枚の露出アンダーの画像を取得して、その画像を合成して、適正な露出の合成画像を得ることが可能なデジタルカメラにおいて、複数枚の露出アンダー画像、および合成画像をメモリ手段に記憶するとともに、本発明の装置に接続される外部出力装置の画像合成機能の有無に応じて、前記メモリ内に記憶された複数枚の露出アンダー画像または合成画像のいずれかを選択的に外部出力装置に転送することを特徴とする。
【発明の効果】
【０００９】
以上説明したように、本発明は、撮影と画像合成及び画面表示を行う画像合成処理装置に関し、特に、撮影装置及び表示装置を備えた携帯電話機及びデジタルカメラなどにおける画像合成、及び画像データの転送に関するものであり、カメラ内で画像合成して、画像を生成して合成画像を転送、あるいは、合成前の複数の合成対象画像の転送かを選択的に可能にすることにより、画像データ転送先の装置の性能に合わせた画像転送が可能になる。
【発明を実施するための最良の形態】
【００１０】
以下、本発明の実施の形態について図面を用いて詳細に説明する。
【実施例１】
【００１１】
図１は、本発明の画像処理装置の電気回路ブロックを表した図面であり、撮像、画像処理などを実行可能なデジタルカメラの回路構成を示している。同図において、101は、被写体からの光を撮像素子上に結像させるための撮影レンズである。102は、前記101の撮影レンズを駆動して、焦点調節を行わせるためのレンズ駆動装置である。近年、撮影レンズは、焦点距離の変倍が可能なレンズ、いわゆるズームレンズが、主流になっており、その場合には、撮影レンズの焦点距離を変倍させるためのズーム駆動装置が付加される。103は、撮影レンズを通過する光の量を可変させるための絞り手段である。104は、前記103の絞り手段を駆動して、光量を調節する絞り駆動装置である。105は、撮影レンズから入射する光を通過させたり、遮断したりするためのシャッター手段である。106は、前記105のシャッター手段を駆動するためのシャッター駆動装置である。107は、前記101の撮影レンズにより結像された被写体像の光を光電変換するための撮像素子であり、通常、CCDやCMOSなどの撮像用センサーが使用される。108は、前記107の撮像素子で光電変換されたアナログ信号をデジタル信号に変換するためのアナログ・デジタル変換器（以下、AD変換器と略す）である。109は、画像処理回路であり、後述のCPUからの指令に基づいて、前記107の撮像素子、108のAD変換器の駆動し、108のAD変換器で変換されたデジタル信号の画像処理（オプティカルブラック処理、ホワイトバランス処理、画像データの圧縮符号化、複数の画像データの合成処理など）を行う。また、各種の画像表示装置への画像データの出力なども行う。110は、ビデオアンプであり、前記109の画像処理回路から出力される映像信号（たとえば、NTSC、PALなど）を増幅して出力する。111は、テレビなどの外部モニタを接続するための外部モニタ端子である。この端子をテレビなどの映像信号入力端子に接続することにより、画像データをテレビに表示可能である。もちろん、将来的には、テレビもアナログからデジタル方式への移行が行われるため、デジタル信号を直接出力する方向に進むと思われ、デジタル信号により、映像データを出力するデジタルインターフェイスに移行すると考えられる。112は、各種の外部機器と接続可能なインターフェイスであり、画像データなどが、デジタル信号でやり取りが行われる。現在では、USBによるインターフェイスが主流である。外部接続される機器として、代表的なものに、パーソナルコンピュータ、プリンタなどがある。もちろん、前述のものに限られるわけではない。また、デジタル信号のやり取りは、画像データに限ったものではなく、外部機器からデジタルカメラを制御させたり、また、逆にカメラから外部機器を制御したりといった用途も可能である。113は、通常、デジタルカメラの背面に装着され、画像データの表示や撮影に関する各種の設定を行うメニュー画面を表示するためのモニタ表示装置である。通常は、液晶モニタが使用される。もちろん、液晶モニタだけでなく、有機ELなどの表示手段であっても良い。114は、被写体の明るさを測定するための測光手段である。現在は、一眼レフでは、専用の測光素子が用いられ、コンパクトカメラタイプのデジタルカメラでは、撮像素子から得られる画像データが使用され、専用の測光素子を��いないことが多い。本発明では、測光がどのような手段であっても構わない。115は、撮影レンズの焦点検出を行う焦点検出手段である。これも、現在では、一眼レフでは、撮影レンズの光束を分割して、専用の焦点検出素子で検出し、そのずれ量と方向を判別して、焦点検出を行う、専用の焦点検出装置が用いられることが多く、コンパクトタイプのデジタルカメラでは、通常、撮影レンズを駆動しながら、撮像素子の画像データを連続して取得し、画像データの先鋭度を評価して、焦点調節をおこなう、いわゆるコントラスト方式の焦点検出手段が用いられることが多い。本発明では、焦点検出手段の方式が、どのようなものであっても構わない。116は、本発明のデジタルカメラを制御するためのCPUである。アドレス/データバス、各種ポートを介して、各種の周辺回路と接続されている。117は、各種のスイッチの状態を検出する為のSW検出手段である。各種スイッチに関しては、詳細を図示しないが、一例として、電源のON/OFFを実行するメイン電源SW、２段階のストロークを持つように構成され、半押しでONするSW1および全押しでONするスイッチSW2を有するレリーズSW、デジタルカメラの各種の設定を行わせるメニューSWなどが含まれる。118は、LCD表示装置であり、常時、表示しておきたい表示内容（例えば、バッテリ残量、日付など）がある場合に使用される。従って、バックライトなどの必要のない低消費電力な反射型の液晶が用いられることが多い。もちろん、バックライトなどで消費電流が大きくなったとしても、113のモニタ表示手段で全ての表示をおこなって、搭載されない製品もおおくなってきている。この場合は、通常、メイン電源SWが、OFFされると表示は、行われないのが普通である。119は、113のモニタ表示手段や外部モニタへの映像出力時に一時的に画像表示情報が、記憶されるビデオデータ記憶用のVRAMである。120は、108のAD変換器により、デジタル信号に変換された、画像情報を一時的に記憶するためのDATARAMである。通常、画像データは、データ量が、おおきいため、専用のDATARAMに記憶され、同時に画像処理のためのワークエリアとしても利用される。121は、着脱可能なメモリカードを装着するためのカードスロットである。このスロットに装着することにより、デジタルカメラからメモリカードに書き込み/読みだしなどアクセスが可能になる。122は、着脱可能なメモリカードであり、通常、書き換え可能な不揮発性メモリが使用され、最終的に画像データは、このメモリカードに保存される。123は、116のCPUのプログラムが格納されるROMである。通常、書き換えの出来ないマスクROMが使用されるが、近年は、開発期間の短縮、あるいは製品発売後のソフトバージョンアップの容易さから、不揮発性メモリが利用されるこのも多くなってきている。
【００１２】
124は、116のCPUのワークエリアとして、利用されるRAMである。125は、デジタルカメラの各種の調整データ、撮影モードの記憶などに利用される不揮発性メモリである。
【００１３】
図２は、本発明のデジタルカメラの撮影シーケンスをしめしたフローチャートである。同図をもちいて、本発明の撮影シーケンスの説明をおこなう。
【００１４】
ステップ（201）は、デジタルカメラの電源SWの状態をチェックするものであり、117のSW検出手段の出力を116のCPUにて状態チェックする。ONしていれば、ステップ（202）に進み、OFF状態であれば、引き続き電源SWの監視を続ける。
【００１５】
ステップ（202）では、撮影モードのチェックを行う、ここでは、事前に125の不揮発性メモリに記憶されている前回の記憶データを、116のCPUにて読み出して、このデータに基づいて撮影モードの設定を行う。このステップでは、撮影者が、図示しない撮影モード設定のメニュー画面を呼び出し、撮影モードを変更することが出来る。変更がなされた場合には、撮影モードを変更するとともに、125の不揮発性メモリ内に、設定された撮影モードを記憶しておき、次回の電源起動時に参照する。撮影モードの記憶/設定が終了すると、ステップ（203）に進む。
【００１６】
ステップ（203）では、撮影者により、レリーズSWが、半押しされていないかどうかのチェックをおこなう。SWのチェックは、ステップ（201）と同様に、117のSW検出手段を用いて、116のCPUで行う。撮影者により、レリーズSWが、半押しされ、スイッチSW1がONすると、ステップ（204）に進み。OFF状態であれば、ステップ（201）に戻って、再び電源SWの監視を行う。
【００１７】
ステップ（204）では、116のCPUは、115の焦点検出手段を起動して、撮影レンズの焦点状態を検出し、撮影レンズの焦点調節駆動量を演算し、ステップ（205）に進んで、撮影レンズの焦点調節用レンズを駆動して、焦点調節を行う。本発明では、専用の焦点検出手段により、焦点検出を行う前提で説明している。前述のように、撮影レンズを駆動して、撮像素子の画像の先鋭度を評価して、もっとも先鋭な画像の得られる撮影レンズの位置を検出するコントラスト方式を適応しても良い。撮影レンズの駆動を終了して、焦点調節が終了すると、ステップ（206）に進む。
【００１８】
ステップ（206）では、114の測光手段を用いて、被写体の輝度を測光して、被写体の輝度情報を得る。もとろん、専用の測光手段ではなく、撮像素子の画像データから輝度を求めてもよい。ステップ（207）では、前記の輝度情報および撮像素子のISO感度情報をもとにAPEX演算を行い、露光時間Ｔｖおよび撮影レンズの絞りＡｖを演算する。
【００１９】
ステップ（207）では、カメラの撮影モードが、画像合成撮影モードに設定されているか否かを判定し、画像合成撮影に設定されていれば、ステップ（210）に進み。設定されていなければ、ステップ（209）に進んで、通常の撮影が行われる。
【００２０】
ステップ（209）では、再び、117のSW検出手段により、レリーズSWの状態をチェックして、レリーズSWが、押されていなければ、ステップ（201）の状態に戻る。レリーズSWが、押されつづけており、半押し状態を検出しているSW1のON状態が、継続されていれば、ステップ（212）へ進む。
【００２１】
また、カメラが、画像合成撮影モードに設定されている場合には、ステップ（210）で画像合成を実行する合成枚数の設定を行う。ステップ（211）では、ステップ（210）で設定された合成撮影枚数に応じて、ステップ（207）で設定されたＴｖのシフト演算を行う。合成枚数が、２枚であれば、Ｔｖを１段分短い露光時間に設定する。合成画像１枚当たりの露光条件は、最終的に２枚の画像を合成して、最適露出の画像を得る関係上、焦点深度が、変化する絞りの変更は行わず、露光時間により調整される。
【００２２】
ステップ（212）では、117のSW検出手段より、レリーズSWが、半押し状態から、全押し状態に遷移したか否かを判定する。全押しされていなければ、ステップ（209）に戻り、SW1の状態を検出して、レリーズSWが、離されたか、半押し状態が継続されているかを監視する。また、レリーズSWが、全押しされSW2が、ONした場合には、ステップ（213）に進んで、撮像シーケンスを実行する。
【００２３】
ステップ（213）では、まず、116のCPUを用いて、104の絞り駆動手段を制御し、ＡＰＥＸ演算にて、算出された所定の絞りになるように103の絞りを駆動する。次に、106のシャッター駆動手段により、所定のシャッタースピードＴｖにて、105のシャッターを制御する。通常撮影モードの場合には、ＡＰＥＸ演算にて算出されたＴｖ、画像合成撮影の場合には、ステップ（211）にて、シフト演算されたＴｖがもちいられる。このとき、107の撮像素子は、116のCPUのコマンドにより、105のシャッターが開きはじめる前に、109の画像処理回路手段により、蓄積動作が開始されている。また、シャッターに撮影光束が、撮像素子上に、導かれ、所定の露光時間後、再びシャッターが閉じて後、107の撮像素子の蓄積動作は、停止される。撮像素子の露光時間の制御は、前記のようにメカニカルな105のシャッター手段により、実行されてもよいが、撮像素子の露光時間を電気的に制御する、いわゆる電子シャッターにて実行されてもよい。以上で、ステップ（213）の撮像は、終了して、ステップ（214）に進む。
【００２４】
ステップ（214）では、116のCPUのコマンドに基づいて、109の画像処理回路手段は、107の撮像素子の画像信号を逐次出力させ、108のＡＤ変換器を用いて、アナログ画像信号を、デジタル画像信号に変換し、アドレスバスを介して、120のDATARAMに、一時的に記憶される。
【００２５】
ステップ（215）では、ステップ（214）で一時記憶された画像データに対して、オプティカルブラック処理などの所定の画像処理が施され、指定されたファイル形式に圧縮符号化されて、ステップ（216）で再び120のDATARAMに画像データが一時記憶される。
【００２６】
ステップ（217）で設定撮影枚数の確認を行う。ここで、画像合成撮影でなければ、通常１枚が設定されているため、ステップ（218）に進む。また、画像合成撮影が設定されていれば、ステップ（210）で設定された撮影枚数をインクリメントして、インクリメントされた撮影枚数が、０になれば、ステップ（218）に進み、０でなければ、ステップ（213）からステップ（216）の動作を、インクリメントされた撮影枚数が、０になるまで実行して、ステップ（218）に進む。
【００２７】
ステップ（218）では、撮影の後処理を行う。ここでは、所定のファイル番号を画像データに付与する。また、画像合成用の画像には、ファイル番号にプラスして、画像合成用の画像データであることを関連付ける番号が付与される。
【００２８】
また、同時に画像合成用の複数枚画像の位置あわせを行い、合成画像を生成して、ファイル番号を付与する。
【００２９】
ステップ（219）では、121のメモリカードスロットに挿入された、メモリカードに、120のDATARAM内に一時記憶された画像データを転送し、メモリカードに画像データを記憶させる。このとき、画像合成用の撮影データは、１）合成後の画像データのみを記憶、２）合成後の画像および合成前の全画像データの記憶、３）合成前の全ての画像データのみの記憶の３通りが考えられる。１）に関しては、メモリカードの記憶容量の節約では、もっとも有利であるが、カメラ内で万が一、合成ミスが発生した（複数枚撮影された画像の中に合成に適さないものがあった場合、例えば、撮影中に移動物体が画面に入ってしまったなど）場合には、復元が出来ない。２）は、記憶容量的には、不利であるが、カメラ内で合成された画像が、万一合成ミスを行っていても、たとえば、パーソナルコンピュータなどに、合成前画像を転送して、ユーザーにより、後処理で合成処理が施せるメリットがある。３）に関しては、リアルタイムで合成画像が生成されないため、ユーザーが、後処理により合成画像を生成しなければならず、面倒であるといった点がある。ただし、本発明のカメラでは、２）あるいは３）でメモリカードに記憶されることが前提である。
【００３０】
図３は、本発明のデジタルカメラで撮影された画像データの出力、特にデジタルカメラに内蔵されたインターフェイス端子を使って接続される外部機器への画像データの出力に関するフローチャートである。同図を用いて、外部機器へ出力される画像データに関して詳細に説明を行う。
【００３１】
ステップ（301）では、117のSW検出手段により、電源SWの状態を監視する、電源がONされれば、ステップ（302）に進み、OFF状態のままであれば、電源SWの監視を続ける。
【００３２】
ステップ（302）では、ユーザーにより、外部機器の接続が行われる。ＴＶなどの映像機器に接続される場合は、111のビデオ端子をＴＶなどのビデオ入力端子に、プリンター、パーソナルコンピュータ（PC）などの機器に接続される場合には、112の外部機器IF端子（現在では、USB端子が主流である。）を使って接続が行われる。
【００３３】
ステップ（303）では、カメラが操作され、ユーザーにより、画像データの出力対象が選択される。ここで、ＴＶなどへのビデオ出力が選択されれば、ステップ（304）に、それ以外が選択されれば、ステップ（311）に進む。
【００３４】
ステップ（304）では、カメラの操作部材を操作して、ビデオ出力させる画像データの選択を行う。
【００３５】
ステップ（305）では、選択された画像が、通常撮影された画像か、合成画像か（カメラ内で合成済み画像、あるいは合成対象の合成前の画像）否かを判定し、通常撮影された画像であれば、ステップ（306）に合成画像であれば、ステップ（308）に進む。
【００３６】
ステップ（306）では、通常撮影の画像が選択されたため、選択された画像データをNTSCなどのデータに変換して、110のビデオアンプで増幅して、111のビデオ端子より、出力する。
【００３７】
ステップ（307）では、カメラ操作により、ビデオ出力の終了が選択されていないか否かを判定し、終了が選択されれば、ビデオ出力を終了させる。終了が選択されていなければ、ビデオ出力の出力を継続し、ステップ（303）にもどる。
【００３８】
ステップ（308）では、選択された画像が、カメラ内で画像合成済みの合成画像か否かを判定し、合成済み画像であれば、ステップ（306）に進んで、合成済みの合成画像をビデオ出力端子から出力する。合成前の合成前画像が選択された場合には、そのままビデオ出力してしまうと露出不足の画像が，ビデオ端子から出力されてしまうため、高品位の画像をＴＶなどの映像機器上に再生できない。したがって、ステップ（309）で、すでにカメラ内に合成済みの画像があるかどうか検索して、合成画像が存在する場合は、ステップ（306）に進んで、この合成画像をビデオ出力するように構成される。
【００３９】
また、検索の結果、カメラ内に合成された画像が存在しない場合には、合成対象の複数枚の画像を検索して、ステップ（310）で画像合成して、ステップ（306）に進んで、この合成画像をビデオ出力する。
【００４０】
次に、ステップ（303）外部接続機器が、ビデオ出力ではなく、外部機器ＩＦ（以下、ＵＳＢ端子で代表させる）接続された場合、ステップ（311）に進んで、ＵＳＢ接続が、正常に行われたどうか判定して、正常に行われた場合、ステップ（312）に進み、そうでない場合には、エラー表示などを行いステップ（302）へ戻る。
【００４１】
ステップ（312）では、ＵＳＢ端子に接続された機器が、プリンターか否かを判定して、プリンターであれば、ステップ（313）に、そうでなければ、ステップ（320）に進む。
【００４２】
ステップ（313）では、カメラの操作部材を操作して、USB端子から出力させる画像データの選択を行う。
【００４３】
ステップ（314）では、選択された画像が、通常撮影された画像か、合成画像か（カメラ内で合成済み画像、あるいは合成対象の合成前の画像）否かを判定し、通常撮影された画像であれば、ステップ（315）に、合成画像であれば、ステップ（317）に進む。
【００４４】
ステップ（315）では、通常撮影の画像が選択されたため、選択された画像データをＵＳＢ端子より、出力する。
【００４５】
ステップ（316）では、カメラ操作により、プリントモードの終了が選択されていないか否かを判定し、終了が選択されれば、プリントモードを終了させる。終了が選択されていなければ、プリントモードを継続し、ステップ（313）にもどる。
【００４６】
ステップ（317）では、選択された画像が、カメラ内で画像合成済みの合成画像か否かを判定し、合成済み画像であれば、ステップ（315）に進んで、合成済みの合成画像をＵＳＢ端子から出力する。合成前の合成前画像が選択された場合には、そのまま出力してしまうと露出不足の画像が，プリントされてしまい、高品位なプリントができない。したがって、ステップ（318）で、すでにカメラ内に合成済みの画像があるかどうか検索して、合成画像が存在する場合は、ステップ（315）に進んで、この合成画像をＵＳＢ端子より出力するように構成される。
【００４７】
また、検索の結果、カメラ内に合成された画像が存在しない場合には、合成対象の複数枚の画像を検索して、ステップ（319）で画像合成して、ステップ（315）に進んで、この合成画像をＵＳＢ端子より出力する。
【００４８】
ステップ（320）では、ＵＳＢ端子に接続された機器が、ＰＣ接続であることを確認し、ステップ（321）に進む。ステップ（321）では、カメラの操作部材を操作して、USB端子から出力させる画像データの選択を行う。
【００４９】
ステップ（322）では、選択された画像が、通常撮影された画像か、合成画像か（カメラ内で合成済み画像、あるいは合成対象の合成前の画像）否かを判定し、通常撮影された画像であれば、ステップ（323）に合成画像であれば、ステップ（325）に進む。
【００５０】
ステップ（323）では、通常撮影の画像が選択されたため、選択された画像データをＵＳＢ端子より、出力する。
【００５１】
ステップ（324）では、カメラ操作により、ＰＣ接続モードの終了が選択されていないか否かを判定し、終了が選択されれば、ＰＣモードを終了させる。終了が選択されていなければ、ＰＣモードを継続し、ステップ（321）にもどる。
【００５２】
ステップ（325）では、選択された画像が、カメラ内で画像合成済みの合成画像か否かを判定し、合成済み画像であれば、ステップ（323）に進んで、合成済みの合成画像をＵＳＢ端子から出力する。合成前の合成前画像が選択された場合には、ステップ（326）に進む。ステップ（326）では、接続されたＰＣに送信する画像を選択する。選択される画像は、合成前の複数合成対象の画像、または、合成後画像のどちらかである。合成前画像が選択された場合には、ステップ（327）に、合成後画像が選択された場合には、ステップ（328）に進む。
【００５３】
ステップ（327）では、カメラ内のメモリを検索して、合成対象の複数枚の画像を順次、ＵＳＢ端子より、出力する。
【００５４】
また、検索の結果、カメラ内に合成された画像が存在しない場合には、合成対象の複数枚の画像を検索して、ステップ（327）で画像合成して、ステップ（323）に進んで、この合成画像をＵＳＢ端子より出力する。
【００５５】
また、以上の説明では、出力画像として、合成画像が選択されたときは、接続された機器に応じて、カメラが接続機器の画像合成処理機能の有無を判別し、無しと判断した場合には、合成処理を行い画像出力し、有りと判断された場合のみ、ユーザーにより、カメラで合成か、非合成か選択して、画像データを出力するように構成している。しかしながら、以上の構成では、接続された機器に画像合成機能が、付与された場合に、対応することができないので、ユーザーにより、合成か、非合成か選択できるようにも構成してもよい。
【図面の簡単な説明】
【００５６】
【図１】本発明のデジタルカメラのブロック回路図。
【図２】本発明の撮像シーケンスのフローチャート。
【図３】本発明の画像データ出力のフローチャート。
【符号の説明】
【００５７】
１０１  撮影レンズ
１０２  レンズ駆動手段
１０３  絞り手段
１０４  絞り駆動手段
１０５  シャッター手段
１０６  シャッター駆動手段
１０７  撮像素子
１０８  ＡＤ変換器
１０９  画像処理回路手段
１１０  ビデオアンプ手段
１１１  ビデオ信号出力端子
１１２  外部機器ＩＦ手段
１１３  モニタ表示手段
１１４  測光手段
１１５  焦点検出手段
１１６  ＣＰＵ
１１７  ＳＷ検出手段
１１８  ＬＣＤ表示手段
１１９  ＶＲＡＭ
１２０  ＤＡＴＡＲＡＭ
１２１  メモリカードスロット
１２２  メモリカード
１２３  ＲＯＭ
１２４  ＲＡＭ
１２５  不揮発性メモリ
【図１】
2010130476.tif 000003
【図２】
2010130476.tif 000004
【図３】
2010130476.tif 000005